(57)【要約】      （修正有）【課題】複数の絶縁操作棒を使用することなく接続スリーブの圧縮操作することができ、容易な操作で適切な位置で圧縮することが可能な間接活線用先端工具を提供する。【解決手段】間接活線用先端工具１は、一対の操作部２１，２２の遠近動によって互いに遠近する一対の歯部３１，３２と、一対の操作部の基端部２１ａ，２２ａに設けられ、間接活線把持工具の先端部が接続可能な接続部４１，４２とを備えている。それぞれの歯部の互いに対向する部位には、電線同士を接続するための接続スリーブを受容して圧縮可能な凹状に形成された圧縮部３３ａ，３３ｂを備えている。圧縮部は、一対の歯部の互いに対向する１箇所のみに形成されている。【選択図】図１
2014138460.tif 000002
【特許請求の範囲】
【請求項１】
一対の操作部の遠近動によって互いに遠近する一対の歯部と、前記一対の操作部の基端部に設けられ、間接活線把持工具の先端部が接続可能な接続部とを備え、
それぞれの歯部の互いに対向する部位には、電線同士を接続するための接続スリーブを受容して圧縮可能な凹状に形成された圧縮部を備え、
前記圧縮部は、前記一対の歯部の互いに対向する１箇所のみに形成されていることを特徴とする間接活線用先端工具。
【請求項２】
前記一対の歯部の前記圧縮部よりも先端側には、互いの歯部の対峙する面が離隔する空間部が形成され、
前記空間部は、前記一対の歯部の先端部から圧縮部に向かって幅狭に形成されることを特徴とする請求項１に記載の間接活線用先端工具。
【請求項３】
前記圧縮部は、前記接続スリーブの圧縮時に前記接続スリーブと当接し、前記歯部の閉方向に突出する突出部を支点側に備えることを特徴とする請求項１又は２に記載の間接活線用先端工具。
【発明の詳細な説明】
【技術分野】
【０００１】
本発明は、間接活線作業に使用する間接活線把持工具の先端に接続可能な間接活線用先端工具に関する。
【背景技術】
【０００２】
たとえば、高圧引下線が断線し、縁接続による改修作業を行う場合には、断線した電線の被覆を剥ぎ取って芯線を磨いた後に、円筒形の接続スリーブをこの芯線に外装させて圧縮接続を行っている。
【０００３】
間接活線作業における圧縮接続には、感電等の事故防止のため絶縁操作棒にて遠隔操作が可能な圧縮ペンチを使用している。具体的には、補助者が接続する電線を間接活線把持工具で把持して接続位置を保ち、作業者が圧縮ペンチを遠隔操作して接続スリーブを圧縮している。
【０００４】
このような圧縮ペンチの例としては、一方の絶縁操作棒の先端に圧縮ペンチを取り付け、他方の絶縁操作棒の先端にバインド打ち器等のフック状に形成された先端工具を取り付け、圧縮ペンチの圧縮動作を操作する操作リングに他方の絶縁操作棒のフックを引っ掛けて操作するスリーブ圧縮装置が開示されている（特許文献１参照）。
【０００５】
また、他の圧縮ペンチの例としては、絶縁操作棒の先端がねじ状に形成され、この先端に螺合するナットの上下動に対応して先端が開閉する圧縮ペンチがこの先端に設けられた遠隔操作式圧縮ペンチが開示されている（特許文献２参照）。
【先行技術文献】
【特許文献】
【０００６】
【特許文献１】特開２００８−１２５２９１号公報
【特許文献２】特開２０００−１６６０３８号公報
【発明の概要】
【発明が解決しようとする課題】
【０００７】
しかしながら、特許文献１のスリーブ圧縮装置においては、作業者が２本の共用操作棒を使用して作業しなければならず、作業者の疲労度が高くなることで持ち手が不安定となり、作業者が使用する絶縁操作棒と、補助者が使用する間接活線把持工具とが接触して作業に支障をきたしたり、圧縮ペンチの操作リングにフックを引っ掛けて操作するときに作業者の手がぶれて接続スリーブが圧縮位置からずれたりする問題がある。
【０００８】
また、作業者は圧縮ペンチが取り付けられた絶縁操作棒を片手で持って作業することになるため、接続スリーブを適切な圧縮位置へアプローチすることが難しく、作業時間が長くなる問題や、圧縮対象物の径を選択するダイスが接続スリーブにあたることにより意図としない位置にダイスが回転して、適正なダイスでの圧縮ができなくなることがあり、圧縮不良によって再度作業をやり直さなければならない問題もある。
【０００９】
さらに、電線の上側から圧縮ペンチが覆いかぶさるようにして接続スリーブにアプローチするため、圧縮ペンチを接続スリーブに乗せた重みで接続スリーブに挿入された電線が外れてしまい作業をやり直さなければならない問題がある。
【００１０】
また、特許文献２の遠隔操作圧縮ペンチにおいては、１本の絶縁操作棒で圧縮ペンチの圧縮操作ができるものの、圧縮ペンチが、絶縁操作棒の軸方向に対して直角に取り付けられているため、接続スリーブの圧縮位置が死角となりやすく圧縮不良が生じるおそれがある。
【００１１】
また、ナットの締め付けによって開閉を操作するため作業が遅くなり、補助者の間接活線把持工具を持つ手がぶれることにより適切な圧縮位置から接続スリーブがずれて圧縮不良が生じる問題がある。
さらに、圧縮ペンチの柄が長く形成されているため、絶縁操作棒から離れた位置で接続スリーブを圧縮しなければならず、接続スリーブにアプローチする操作が難化する問題がある。
【００１２】
さらにまた、ナットの上下動を操作する機構を設けるため、絶縁操作棒の重量が重くなり操作性が悪化する問題や、絶縁操作棒の汎用性も失われるためコストも増大する問題もある。
【００１３】
本発明は、かかる事情に鑑みてなされたものであり、複数の絶縁操作棒を使用することなく接続スリーブの圧縮操作することができ、容易な操作で適切な位置で圧縮することが可能な間接活線用先端工具を提供することを主たる課題としている。
【課題を解決するための手段】
【００１４】
上記課題を達成するために、本発明に係る間接活線用先端工具は、一対の操作部の遠近動によって互いに遠近する一対の歯部と、前記一対の操作部の基端部に設けられ、間接活線把持工具の先端部が接続可能な接続部とを備え、それぞれの歯部の互いに対向する部位には、電線同士を接続するための接続スリーブを受容して圧縮可能な凹状に形成された圧縮部を備え、前記圧縮部は、前記一対の歯部の互いに対向する１箇所のみに形成されていることを特徴としている。
【００１５】
間接活線用先端工具は操作部の基端部に間接活線把持工具の先端が接続可能な接続部を備えることにより、間接活線把持工具の把持動作に連動して歯部の圧縮動作を操作することができ、複数の絶縁操作棒を使用することなく接続スリーブの圧縮操作をすることができる。また、圧縮部が歯部の１箇所のみに形成されることにより、誤ったダイスが選択されることによる誤圧縮を防止でき、容易な操作で適切な位置で圧縮することができる。
【００１６】
したがって、間接活線用先端工具で接続スリーブを圧縮することができるため、簡易な工具の構成で接続スリーブを圧縮することができる。このため、工具全体の軽量化を図ることができ、間接活線用把持工具の汎用性も失われないためコストの低減を図ることができる。
【００１７】
また、一対の歯部の圧縮部よりも先端側には、互いの歯部の対峙する面が離隔する空間部が形成され、前記空間部は、一対の歯部の先端部から圧縮部に向かって幅狭に形成されるようにしてもよい。
空間部が一対の歯部の先端部から圧縮部に向かって幅狭に形成されることで、それぞれの歯部の先端から接続スリーブを間接活線用先端工具に押し込むことにより、空間部の傾斜に沿って接続スリーブを適正な圧縮位置に容易に誘導することができるため、接続スリーブへのアプローチを容易にすることができる。
【００１８】
圧縮部は、接続スリーブの圧縮時に前記接続スリーブと当接し、歯部の閉方向に突出する突出部を支点側に備えるようにしてもよい。
圧縮部は、接続スリーブの圧縮時に前記接続スリーブと当接し、歯部の閉方向に突出する突出部を備えることで、圧縮ペンチの歯部に形成される隙間に圧縮スリーブが入ることによる不適切な位置での圧縮を防止することが可能となる。
【発明の効果】
【００１９】
以上述べたように、本発明の間接活線用先端工具によれば、間接活線用先端工具は操作部の基端部に間接活線把持工具の先端が接続可能な接続部を備えることにより、間接活線把持工具の把持動作に連動して歯部の圧縮動作を操作することができ、複数の絶縁操作棒を使用することなく接続スリーブの圧縮操作をすることができる。このため、複数の絶縁操作棒を操作することによる作業者の疲労を低減することができ、作業者の操作棒と補助者の操作棒とが接触して作業に支障をきたすことを防止することができる。
【００２０】
また、圧縮部が歯部の１箇所のみに形成されることにより、誤ったダイスが選択されることや、ダイスの回転が途中で止まってしまうような誤圧縮がなくなるため、容易な操作で適切な位置で圧縮することができ作業時間の短縮を図ることができる。
【００２１】
さらに、間接活線把持工具の把持動作に連動して歯部の圧縮動作を操作することができるため、接続スリーブの下側からアプローチすることが可能となり、従来の圧縮ペンチのように接続スリーブに圧縮ペンチの自重が掛かることによる電線接続が外れることを防ぐことができる。
【００２２】
したがって、間接活線用先端工具で接続スリーブを圧縮することができるため、簡易な工具の構成で接続スリーブを圧縮することができる。このため、工具全体の軽量化を図ることができ、間接活線用把持工具の汎用性も失われないためコストの低減を図ることができる。
【図面の簡単な説明】
【００２３】
【図１】図１は、実施例１にかかる間接活線用先端工具の全体を示した正面図である。
【図２】図２は、間接活線用先端工具が間接活線把持工具に取り付けられた状態を示す正面図であり、（ａ）は、一対の歯部が閉じた状態を示す正面図である。（ｂ）は、一対の歯部が開いた状態を示す正面図である。
【図３】図３は、間接活線用先端工具を使用して接続スリーブの圧縮をした状態を示した正面図である。
【図４】図４は、実施例２にかかる間接活線用先端工具の全体を示した正面図である。
【図５】図５は、実施例３にかかる間接活線用先端工具の全体を示した正面図である。
【発明を実施するための形態】
【００２４】
以下、本発明の間接活線用先端工具について、添付図面を参照して説明する。
【実施例１】
【００２５】
図１及び図２に示すように、間接活線用先端工具１は、一対の操作部２１，２２の遠近動によって互いに遠近して開閉する一対の歯部３１，３２と、操作部２１，２２の基端部に間接活線把持工具５の先端部が接続可能な接続部４１，４２とを備えて構成されている。
【００２６】
一対の操作部２１，２２は、間接活線把持工具５の固定側把持片に装着する固定側接続部４１が基端部２１ａに一体に形成された第１の操作部２１と、間接活線把持工具５の可動側把持片に装着する可動側接続部４２が基端部２２ａに一体に形成された第２の操作部２２と、から構成されている。
なお、操作部２１，２２は、電線同士を接続する接続スリーブ６へのアプローチを容易にするために短く形成してもよい。
【００２７】
第１の操作部２１と第２の操作部２２とは、歯部３の閉方向に突出して形成された操作連結部２３が設けられ、この操作連結部２３において相互に揺動可能に連結されている。
また、第１の操作部２１と第２の操作部２２の先端には、歯部３と連結する歯連結部２４が形成されている。
【００２８】
第１の操作部２１と、第２の操作部２２との間には、互いの操作部２１，２２を近接するように移動させたときに、歯部３が所定位置に達するまで離隔方向の動きを制限するストッパー機構８が設けられている。
【００２９】
接続部４１，４２は、間接活線把持工具５の先端部を挿入可能に構成された先端挿入部４１ａ，４２ａと、先端挿入部４１ａ，４２ａに挿入された間接活線把持工具５の先端部を固定する先端固定手段４１ｂ，４２ｂとを備えている。
【００３０】
第１及び第２の歯部３１，３２は、その基端において第１の操作部２１及び第２の操作部２２に形成された歯連結部２４と揺動可能に連結され、第１の操作部２１の歯連結部２４と連結する第１の歯部３１と、第２の操作部２２の歯連結部２４と連結する第２の歯部３２と、から構成されている。また、第１の歯部３１と、第２の歯部３２とは、連結板１０を介して互いに搖動可能に連結されている。
【００３１】
また、それぞれの歯部３１，３２の互いに対向する部位には、接続スリーブ６を受容して圧縮可能な歯部３１，３２の開閉方向の内側に向かって凹状に形成された圧縮部３３ａ，３３ｂを備えている。
【００３２】
圧縮部３３ａ，３３ｂは、第１及び第２の歯部３１，３２の互いに対抗する１箇所のみに形成されるもので、圧縮対象物のサイズに合わせて所望のサイズに形成される。本実施例においては、一般的な高圧引下線に使用される接続スリーブ６を想定して２．６−３．２のサイズの圧縮部３３ａ，３３ｂが形成されている。
【００３３】
このように構成された間接活線用先端工具１によって接続スリーブ６を圧縮するには、図２及び図３に示すように、まず、両接続部４１，４２に間接活線把持工具５の把持片を接続して、両把持片が開くように操作することで、第１及び第２の操作部２１，２２の後端を離隔する方向に移動させる。これにより、両操作部２１，２２の先端が近接する方向に移動し、これに連結されている第１，第２の歯部の後端もこの移動に伴って近接することで、これらの歯部の先端が相互に離隔する方向に移動し圧縮部３３ａ，３３ｂの口径が広げられることになる。
【００３４】
そして、広げられた圧縮部３３ａ，３３ｂに接続スリーブ６を入れ、両操作部２１，２２の後端を近接させるように間接活線把持工具５の把持片を閉じることにより、両歯部の先端が閉じられて圧縮部３３ａ，３３ｂが縮径し、接続スリーブ６が圧縮されることになる。
【００３５】
以上述べたように、本発明の間接活線用先端工具１によれば、操作部２１，２２の基端部２１ａ，２２ａに間接活線把持工具５の先端が接続可能な接続部４１，４２を備えることにより、間接活線把持工具５の把持動作に連動して第１及び第２の歯部３１，３２の圧縮動作を操作することができ、複数の絶縁操作棒を使用することなく接続スリーブ６の圧縮操作をすることができる。このため、複数の絶縁操作棒を操作することによる作業者の疲労を低減することができ、作業者の操作棒と補助者の操作棒とが接触して作業に支障をきたすことを防止することができる。
【００３６】
また、圧縮部３３ａ，３３ｂが第１及び第２の歯部３１，３２の１箇所のみに形成されることにより、誤ったダイスが選択されることや、ダイスの回転が途中で止まってしまうような誤圧縮がなくなるため、容易な操作で適切な位置で圧縮することができ作業時間の短縮を図ることができる。
【００３７】
さらに、間接活線把持工具５の把持動作に連動して第１及び第２の歯部３１，３２の圧縮動作を操作することができるため、接続スリーブ６の下側からアプローチすることが可能となり、従来の圧縮ペンチのように接続スリーブ６に圧縮ペンチの自重が掛かることによる電線接続が外れることを防ぐことができる。
【００３８】
したがって、間接活線用先端工具１で接続スリーブ６を圧縮することができるため、簡易な工具の構成で接続スリーブ６を圧縮することができる。このため、工具全体の軽量化を図ることができ、間接活線用把持工具５の汎用性も失われないためコストの低減を図ることができる。
【実施例２】
【００３９】
上述の実施例においては、歯部３の先端形状は従来のものと同様に形成されるものであったが、接続スリーブ６へのアプローチを容易にするために歯部３の先端形状を変形して形成してもよい。
以下、本実施例の間接活線用先端工具１について説明をするが、実施例１と同様の構成箇所には、同一符号を付して説明を省略する。
【００４０】
図４に示すように、第１及び第２の歯部３１，３２の圧縮部３３ａ，３３ｂよりも先端側には、互いの歯部３１，３２の対峙する面が離隔する空間部３４が形成されている。
【００４１】
空間部３４は、一対の歯部３１，３２の先端部３１ａ，３２ａから圧縮部３３ａ，３３ｂに向かって幅狭に（第１及び第２の歯部３１，３２の厚みが先端部３１ａ，３２ａから圧縮部３３ａ，３３ｂに向かって増すようにテーパー状に）形成されている。
【００４２】
空間部３４が一対の歯部３１，３２の先端部３１ａ，３２ａから圧縮部３３ａ，３３ｂに向かって幅狭に形成されることで、それぞれの歯部３１，３２の先端から接続スリーブ６を間接活線用先端工具１に押し込むことにより、空間部３４の傾斜に沿って接続スリーブ６を適正な圧縮位置に容易に誘導することができるため、接続スリーブ６へのアプローチを容易にすることができる。
【実施例３】
【００４３】
実施例２の構成においては、接続スリーブ６へのアプローチを容易にするために歯部３１，３２の先端形状を変更したものであったが、接続スリーブ６が適正な圧縮位置以外の場所で圧縮される誤圧縮を防止するように圧縮部３３ａ，３３ｂを構成してもよい。
【００４４】
図５に示すように、圧縮部３３ａ，３３ｂは、接続スリーブ６の圧縮時に接続スリーブ６と当接し、歯部３の閉方向に突出する突出部３５を支点側に備えている。
突出部３５は、第１の歯部３１と一体に形成されるもので、第１の歯部３１の圧縮部３３ａの基端から第２の歯部３２の圧縮部３３ｂの外壁面を挟むように突出して設けられている。
【００４５】
したがって、第１の歯部３１の圧縮部３３ａに突出部３５が形成されることで、接続スリーブ６が圧縮部３３ａ，３３ｂに誘導されると、突出部３５が接続スリーブ６と当接することにより、第１の歯部３１と第２の歯部３２との間に形成される隙間３８に挟まれることを防止することが可能となる。
【符号の説明】
【００４６】
１  間接活線用先端工具
２１，２２  操作部
２１ａ，２２ａ  基端部
３１，３２  歯部
３１ａ，３２ａ  先端部
３３ａ，３３ｂ  圧縮部
３４  空間部
３５  突出部
４１，４２  接続部
５  間接活線把持工具
６  接続スリーブ
【図１】
2014138460.tif 000003
【図２】
2014138460.tif 000004
【図３】
2014138460.tif 000005
【図４】
2014138460.tif 000006
【図５】
2014138460.tif 000007